(57)【特許請求の範囲】
【請求項１】
前部底板と底板とを有し塵芥収集車の収集箱の後部開口に連接された塵芥投入箱と、この塵芥投入箱内の前部開口の上部に配置された固定遮蔽板と、この固定遮蔽板の後側に配置されて昇降される可動遮蔽板と、この可動遮蔽板の下端に枢着されて反転方向又はかき込み方向に回動されるかき込み板とを具備した塵芥収集車の積込装置において、
前記かき込み板の上部前方に、かき込み板の前側との間に凹部が形成されるように補助部材が突出され、前記補助部材の先端部は、塵芥かき込み時に、塵芥投入箱の前部底板との間に隙間を形成するように位置され、前記かき込み板の凹部と塵芥投入箱の底板との間で塵芥を密閉状態にして減容することを特徴とする塵芥収集車の積込装置。
【請求項２】
前記補助部材の先端は、湾曲形状に形成され、この湾曲形状は、かき込み板の枢軸を中心とする円弧に形成されていることを特徴とする請求項１に記載の塵芥収集車の積込装置。
【発明の詳細な説明】
【０００１】
【産業上の利用分野】
本発明は、空き缶又は空き瓶等のように嵩の高い塵芥を圧縮して減容を図ることができ、しかも、積込動作を極めて短時間で行うことができ、コストの高騰を招来することがなく、メンテナンスが容易であり、加えて、塵芥収集箱から投入箱への塵芥の逆流を確実に防止できる積込装置に関する。
【０００２】
【従来の技術】
一般に、塵芥収集車では、車両の中央に塵芥の収集箱が配され、これの後方に塵芥を投入するための塵芥投入箱が配されている。塵芥投入箱内では、投入された塵芥が積込装置により塵芥収集箱内に積み込まれるように構成されている。
【０００３】
この積込装置の従来例は、例えば、特開昭６３−２８２００２号公報に開示されており、図６乃至図９を参照してこの従来例の積込装置を説明する。
【０００４】
図６に示すように、塵芥収集箱１の後方に塵芥投入箱２が設けられており、この塵芥投入箱２の上方には、収集箱１と投入箱２とを仕切るための固定遮蔽板３が設けられている。この固定遮蔽板３の後方に可動遮蔽板４が設けられている。この可動遮蔽板４は、車幅方向に掛け渡された横桿５に支持されており、図示しない油圧シリンダにより上下方向にスライドするように構成されている。この可動遮蔽板４の下部の枢軸８には、かき込み板７が揺動自在に支持されており、このかき込み板７は枢軸９で油圧シリンダ６に連結されている。これにより、かき込み板７は、油圧シリンダ６によりかき込み方向又は反転方向に回動されるように構成されている。さらに、塵芥投入箱２の下方には、円弧状の底板１０が設けられ、この底板１０の前側には、前部底板１１が配置されている。
【０００５】
このように構成された積込装置では、以下のような４つの工程により塵芥が収集箱１内に積み込まれる。
【０００６】
１）  先ず、前回の塵芥の積込が完了したときには、図６に示すような状態にあり、次回の塵芥１２が投入箱２に投入される。次に油圧シリンダ６が駆動されてかき込み板７が図６の状態から図７に示す状態まで矢印ａに示すように反転される。これにより、かき込み板７は、かき込みの始動状態にされる。
【０００７】
２）  次いで、図７に示すように、塵芥１２が投入箱２の底板１０に投入され、その後、図８に矢印ｂで示すように、可動遮蔽板４がかき込み板７と共にスライドして下降される。
【０００８】
３）  次いで、図９に矢印ｃで示すように、かき込み板７がかき込み方向に回動されて、底板１０上の塵芥１２が前部底板１１まで移動される。
【０００９】
４）  次いで、図９に矢印ｄで示すように、可動遮蔽板４がかき込み板７と共にスライドして上昇される。これにより、前部底板１１の塵芥が収集箱１内に積み込まれる。
【００１０】
この図６乃至図９に示す積込装置では、上記の４つの工程により積込動作がなされ、塵芥の収集箱１への積込にはとりたてて支障はない。しかしながら、この積込装置では、単なる積込動作がなされているにすぎないため、清涼飲料水等の空き缶又は空き瓶等の塵芥は、この積込動作において、確実に減容されないといったことがある。一般には、図９の上昇行程において、投入箱の前部底板とかき込板に挟まれて塵芥が圧縮されることがあるが、全ての塵芥が圧縮されることから、空き缶又は空き瓶等の塵芥の減容率が低く、その確実性も低いといったことがある。
【００１１】
また、図６乃至図９に示す積込装置では、図６に示すように、固定遮蔽板３及び可動遮蔽板４により収集箱１と投入箱２とが遮蔽され、これにより、収集箱１に一旦収められた塵芥が投入箱２側に逆流しないように構成されている。しかしながら、図７に示すように、かき込み板７が反転された状態では、可動遮蔽板４と前部底板１１との間には、開口部Ｌａ  が形成されているため、収集箱１側から投入箱２側に塵芥が逆流されるといったことがあり、塵芥の量が多い場合には投入箱２の投入口からこぼれるといったことがある。この投入箱２内に塵芥が投入された後に、かき込み板７が反転されると、投入した塵芥の上に逆流されるため、投入箱２の投入口からこぼれる塵芥の量も多くなる。特に、塵芥が清涼飲料水等の空き缶又は空き瓶である場合には、ころがり易い形状であるため、こぼれ易いといったことがある。
【００１２】
このようなことから、空き缶又は空き瓶等のように嵩の高い塵芥を圧縮・粉砕して減容を図ることができる積込装置の従来例として、特公平１−５２２８１号公報に開示されたものがある。この積込装置の従来例を図１０乃至図１３を参照して説明する。
【００１３】
図１０に示すように、底板１０が円弧状に湾曲されており、かき込み板７は、その側面形状が扇状であって、その底面７ａは、円弧状に湾曲されており、下降時には、底板１０の円弧状の湾曲面に一致するように形成されている。その他の構成は、図６乃至図９に示す場合と同様である。このように構成された積込装置では、以下のような６つの工程により塵芥が収集箱１内に積み込まれる。
【００１４】
１）  先ず、図１０に示すように、可動遮蔽板４が上昇され、かき込み板７の底面７ａが下方に向いている状態にて、投入箱２内に塵芥が投入される。
【００１５】
２）  次いで、図１１に示すように、可動遮蔽板４がかき込み板７と共に下降され、これにより、かき込み板７の底面７ａと投入箱２の底板１０との間に、塵芥１２が挟まれて粉砕される。
【００１６】
３）  次いで、図１２に示すように、可動遮蔽板４が上昇され、塵芥の挟み込みが解除される。
【００１７】
４）  次いで、この状態にて、図１２に示すように、かき込み板７が油圧シリンダ６により後上方に反転される。
【００１８】
５）  次いで、図１３に示すように、かき込み板７が反転された状態にて、可動遮蔽板４が下降される。その後、図１３に仮想線で示すように、かき込み板７がかき込み方向に回動され、塵芥１２が底板１０の前方に移動される。
【００１９】
６）  次いで、図１０に示すように、可動遮蔽板４がかき込み板７と共に上昇され、塵芥１２が収集箱１内に積み込まれる。
【００２０】
【発明が解決しようとする課題】
このように、図１０乃至図１３の積込装置では、６つの工程によって、塵芥が減容されて積み込まれている。
【００２１】
しかしながら、図６乃至図９の積込装置に比べて、最初の「下降」工程及び「上昇」工程が追加されており、その結果、この２工程分だけ積込時間が多くかかり、積込動作の効率が悪くなるといった問題があった。
【００２２】
また、このような６つの工程によって積込動作が実行されるため、この積込動作の制御方式が複雑になり、コストの高騰が招来されると共に、メンテナンスも煩雑になるといった問題もあった。
【００２３】
さらに、この図１０乃至図１３の積込装置でも、図６乃至図９の場合と同様に、かき込み板７が反転されているとき、収集箱１から投入箱２内に塵芥が逆流するといったことがあり、問題となっていた。
【００２４】
本発明の目的は、上述したような事情に鑑みてなされたものであって、空き缶又は空き瓶等のように嵩の高い塵芥を圧縮して減容を図ることができ、しかも、積込動作を極めて短時間で行うことができ、コストの高騰を招来することがなく、メンテナンスが容易であり、加えて、塵芥収集箱から投入箱への塵芥の逆流を確実に防止できる積込装置を提供することにある。
【００２５】
【課題を解決するための手段】
この目的を達成するために、本発明に係る塵芥収集車の積込装置は、前部底板と底板とを有し塵芥収集車の収集箱の後部開口に連接された塵芥投入箱と、この塵芥投入箱内の前部開口の上部に配置された固定遮蔽板と、この固定遮蔽板の後側に配置されて昇降される可動遮蔽板と、この可動遮蔽板の下端に枢着されて反転方向又はかき込み方向に回動されるかき込み板とを具備し、かき込み板の上部前方に、かき込み板の前側との間に凹部が形成されるように補助部材が突出され、補助部材の先端部は、塵芥かき込み時に、塵芥投入箱の前部底板との間に隙間を形成するように位置され、かき込み板の凹部と塵芥投入箱の底板との間で塵芥を密閉状態にして減容することを特徴としている。
【００２６】
また、請求項２に係る塵芥収集車の積込装置は、
前記補助部材の先端は、湾曲形状に形成され、この湾曲形状は、かき込み板の枢軸を中心とする円弧に形成されていることを特徴としている。
【００２７】
【作用】
請求項１によれば、かき込み板がかき込み方向に回動されて塵芥がかき込まれるとき、塵芥投入箱の底板とかき込み板の凹部との間に、塵芥が密閉状態にされ挟まれてつぶされるため、塵芥が減容化される。
【００２８】
この際、、この補助部材の先端部と、投入箱の前部底板との間の隙間が一定間隔に保持されるため、塵芥がこの隙間を通過するときに、確実につぶされて減容化される。
【００２９】
このように、凹部と補助部材との作用により、塵芥が減容化されるため、塵芥が空き缶又は空き瓶等のように嵩の高いものであっても圧縮して減容を図ることができる。
【００３０】
また、この減容化のために、図１０乃至図１３に示す従来例のように、積込工程が増加することがないため、積込動作を極めて短時間で行うことができ、また、制御装置の複雑化を招来しないため、コストの高騰を招来することがなく、メンテナンスが容易である。
【００３１】
さらに、かき込み板の反転が完了したとき、可動遮蔽板と前部底板との間の開口部近くに、補助部材が位置され、この開口部が塞がれるため、塵芥収集箱から投入箱への塵芥の逆流を確実に防止できる。
【００３２】
また、請求項２によれば、補助部材の先端の湾曲形状は、かき込み板の枢軸を中心とする円弧に形成されているため、補助部材が投入箱の前部底板との間に一定の隙間を形成して塵芥をつぶすだけでなく、投入箱の円弧状の底板との間でも、塵芥を圧縮してつぶすことができる。
【００３３】
【実施例】
以下、本発明の一実施例に係る塵芥収集車の積込装置を図面を参照しつつ説明する。
【００３４】
本実施例は、かき込み板の構成が異なる点を除いて、図６乃至図９に示す実施例と同様の構成を有している。すなわち、図２乃至図５に示すように、塵芥収集箱１の後方に塵芥投入箱２が設けられており、この塵芥投入箱２の上方には、収集箱１と投入箱２とを仕切るための固定遮蔽板３が設けられている。この固定遮蔽板３の後方に可動遮蔽板４が設けられている。この可動遮蔽板４は、車幅方向に掛け渡された横桿５に支持されており、図示しない油圧シリンダにより上下方向にスライドするように構成されている。
【００３５】
この可動遮蔽板４の下部の枢軸２３には、かき込み板２０が揺動自在に支持されており、このかき込み板２０は、枢軸２４で油圧シリンダ６に連結されている。これにより、かき込み板２０は、油圧シリンダ６によりかき込み方向又は反転方向に回動されるように構成されている。さらに、塵芥投入箱２の下方には、円弧状の底板１０が設けられ、この底板１０の前側には、前部底板１１が配置されている。
【００３６】
され、本実施例では、図１に示すように、かき込み板２０のかき込み部２１上部前方には、先端が湾曲形状である補助部材２２が若干上向きに突出されている。この補助部材２２の後側とかき込み部２１の前側との間に、凹部２５が形成されている。また、補助部材２２の先端の湾曲形状は、かき込み板２０の枢軸２３を中心とする円弧に形成されている。但し、この補助部材２２の先端は、湾曲されている必要はなく、種々の形状でよく、例えば、平坦であってもよい。
【００３７】
このように構成された積込装置では、以下のような４つの工程により塵芥が収集箱１内に積み込まれると同時に減容化される。
【００３８】
１）  先ず、前回の塵芥の積込が完了したときには、図２に示すような状態にあり、次回の塵芥１２が投入箱２に投入されると、油圧シリンダ６が駆動されてかき込み板２０が図２の状態から図３に示す状態まで矢印ａに示すように反転される。これにより、かき込み板２０は、かき込みの始動状態にされる。
【００３９】
このとき、図３に示すように、可動遮蔽板４と前部底板１１との間の開口部近くに、補助部材２２が位置されている。そのため、開口部の寸法が従来のＬａ  （図７）からＬｂ  に小さくされるため、塵芥収集箱１から塵芥投入箱２への塵芥の逆流が確実に防止される。
【００４０】
２）  次いで、図４に矢印ｂで示すように、可動遮蔽板４がかき込み板２０と共にスライドして下降される。
【００４１】
３）  次いで、図５に矢印ｃで示すように、かき込み板２０がかき込み方向に回動されて、底板１０上の塵芥１２が前部底板１１まで移動される。
【００４２】
このかき込み板２０がかき込み方向に回動されて塵芥１２がかき込まれるとき、塵芥投入箱２の底板１０とかき込み板２０の凹部２５との間に、塵芥１２が密閉状態にされ挟まれてつぶされるため、塵芥１２が減容化される。さらに、この際、この補助部材２２の先端部と、投入箱２の前部底板１１との間の隙間が一定間隔に保持されるため、塵芥１２がこの隙間を通過するときに、確実につぶされて減容化される。特に、本実施例では、補助部材２２の先端の湾曲形状は、かき込み板２０の枢軸２３を中心とする円弧に形成されているため、補助部材２２が投入箱２の円弧状の底板１０との間でも、塵芥を圧縮してつぶすことができる。
【００４３】
このかき込み工程では、凹部２５と補助部材２２との作用により、塵芥１２が減容化されるため、塵芥１２が空き缶又は空き瓶等のように嵩の高いものであっても圧縮して減容を図ることができる。
【００４４】
４）  次いで、図５に矢印ｄで示すように、可動遮蔽板４がかき込み板２０と共にスライドして上昇される。これにより、前部底板１１の塵芥が収集箱１内に積み込まれる。
【００４５】
このように、本実施例では、４つの工程により、塵芥が収集箱１内に積み込まれるだけでなく、同時に減容化される。
【００４６】
さらに、こように４つの工程により減容化されるため、図１０乃至図１３に示す従来例のように、減容化のための積込工程が増加することがないため、積込動作を極めて短時間で行うことができ、また、制御装置の複雑化を招来しないため、コストの高騰を招来することがなく、メンテナンスが容易である。
【００４７】
なお、本発明は、上述した実施例に限定されず種々変形可能であることは勿論である。
【００４８】
【発明の効果】
以上述べたように、本発明の請求項１では、凹部と補助部材との作用により、塵芥が減容化されるため、塵芥が空き缶又は空き瓶等のように嵩の高いものであっても圧縮して減容を図ることができる。また、この減容化のために、積込工程が増加することがないため、積込動作を極めて短時間で行うことができ、また、制御装置の複雑化を招来しないため、コストの高騰を招来することがなく、メンテナンスが容易である。さらに、かき込み板の反転が完了したとき、可動遮蔽板と前部底板との間の開口部近くに、補助部材が位置され、この開口部が塞がれるため、塵芥収集箱から投入箱への塵芥の逆流を確実に防止できる。
【００４９】
このように、本発明では、積込動作で塵芥を圧搾して確実に減容できるため、従来に比べて塵芥を減容した分だけ余分に塵芥を積載することができる。特に、空き缶又は空き瓶等の嵩の高い塵芥を積載する場合には、非常に有効である。さらに、空き缶又は空き瓶等の場合には、収集時以降の輸送において、従来では殆どつぶされていなかったため、輸送効率が悪く問題であったが、本発明では、このような塵芥も十分に減容されるため、その減容した分だけ余分に塵芥を輸送することができ、輸送効率をあげることができ、コストの低減も図ることができる。
【００５０】
また、請求項２によれば、補助部材の先端の湾曲形状は、かき込み板の枢軸を中心とする円弧に形成されているため、補助部材が投入箱の前部底板との間に一定の隙間を形成して塵芥をつぶすだけでなく、投入箱の円弧状の底板との間でも、塵芥を圧縮してつぶすことができる。
【図面の簡単な説明】
【図１】本発明の一実施例に係る塵芥収集車の積込装置のかき込み板の側面図。
【図２】本発明の一実施例に係る塵芥収集車の塵芥投入箱の模式的断面図であって、積込動作の一工程を示す図。
【図３】本発明の一実施例に係る塵芥収集車の塵芥投入箱の模式的断面図であって、積込動作の一工程を示す図。
【図４】本発明の一実施例に係る塵芥収集車の塵芥投入箱の模式的断面図であって、積込動作の一工程を示す図。
【図５】本発明の一実施例に係る塵芥収集車の塵芥投入箱の模式的断面図であって、積込動作の一工程を示す図。
【図６】従来に係る塵芥収集車の塵芥投入箱の模式的断面図であって、積込動作の一工程を示す図。
【図７】従来に係る塵芥収集車の塵芥投入箱の模式的断面図であって、積込動作の一工程を示す図。
【図８】従来に係る塵芥収集車の塵芥投入箱の模式的断面図であって、積込動作の一工程を示す図。
【図９】従来に係る塵芥収集車の塵芥投入箱の模式的断面図であって、積込動作の一工程を示す図。
【図１０】他の従来に係る塵芥収集車の塵芥投入箱の模式的断面図であって、積込動作の一工程を示す図。
【図１１】他の従来に係る塵芥収集車の塵芥投入箱の模式的断面図であって、積込動作の一工程を示す図。
【図１２】他の従来に係る塵芥収集車の塵芥投入箱の模式的断面図であって、積込動作の一工程を示す図。
【図１３】他の従来に係る塵芥収集車の塵芥投入箱の模式的断面図であって、積込動作の一工程を示す図。
【符号の説明】
１  塵芥収集箱
２  塵芥投入箱
３  固定遮蔽板
４  可動遮蔽板
１０  底板
１１  前部底板
２０  かき込み板
２２  補助部材
２５  凹部
【図１】
0003602182.tif 000002
【図２】
0003602182.tif 000003
【図３】
0003602182.tif 000004
【図４】
0003602182.tif 000005
【図５】
0003602182.tif 000006
【図６】
0003602182.tif 000007
【図７】
0003602182.tif 000008
【図８】
0003602182.tif 000009
【図９】
0003602182.tif 000010
【図１０】
0003602182.tif 000011
【図１１】
0003602182.tif 000012
【図１２】
0003602182.tif 000013
【図１３】
0003602182.tif 000014